(57)【要約】      （修正有）【課題】別部品として防塵パッキングやシール部材を用意することなく、また、扉用枠材の取り付けに際して手間ひまを要することなく、扉用枠材と樹脂板やガラス板などの窓部材との間の異物の侵入を防止する扉用枠材を提供する。【解決手段】本縦枠材１は、対をなす態様でガラス板６の縦辺側を保持する部材である。この場合、ガラス板６は、該ガラス板６の縦辺が本縦枠材１の保持片４のＬ字形溝に係止されるように、また、ガラス板６の裏面６ａが本縦枠材１の突出部５の水平面に当接されるように配設される。【選択図】図３
0003172731.tif 000002
【実用新案登録請求の範囲】
【請求項１】
扉の窓部材を保持する扉用枠材であって、横断面が長方形をなす長尺で中空の主枠体と、この横断面の片側短辺を延長し前記窓部材が配置される前記主枠体の前面に対して突出させ当該前面側にＬ字状に折曲して設けられた保持片と、この保持片に対峙する前記横断面の長辺の角部に、当該保持片に対向する態様で設けられた、水平面を有する段状の突出部とを備えてなることを特徴とする扉用枠材。
【考案の詳細な説明】
【技術分野】
【０００１】
本考案は、扉の、樹脂板やガラス板などの窓部材を保持する扉用枠材に関するものである。
【背景技術】
【０００２】
扉用枠材として、樹脂板やガラス板などの窓部材を保持できるようにした扉の枠材は従来からある（例えば、特許文献１）。
この扉用枠材を構成する、例えば家具用扉の縦フレーム１００は、図４（Ａ）  に示すように、断面形状が略矩形状に形成された枠基部１０１と、この枠基部１０１の前面外縁側から前方に延設されガラス板１２０の外縁部が嵌合保持される保持辺部１０２と、上記枠基部１０１の内周面側から枠内方向に延設された内側辺部１０３とを有し、上記枠基部１０１の内周面１０４と内側辺部１０３とで断面略凹状の凹状空隙部１０５が形成され、かつ、上記内側辺部１０３の先端１０３ａを枠基部１０１の前後幅寸法より短くしてなる段部１０６が形成されている。このような縦フレーム１００の凹状空隙部１０５に、図４（Ｂ）の防塵パッキング１１０が嵌装される。このパッキング１１０は、同図に示すように、上記凹状空隙部１０５に挿入され上記内側辺部１０３の先端１０３ａと枠基部１０１の内周面１０４にそれぞれ形成された係止部１０７に係合可能な断面形状が楔状の係止辺部１１１と、この係止辺部１１１の基部側に一体形成された基部１１２とで略Ｔ字状に形成されるものである。
ところで、このようなパッキング１１０を縦フレーム１００の凹状空隙部１０５に嵌装する場合には、ガラス板１２０を取り付ける前に、パッキング１１０の係止辺部１１１を縦フレーム１００の凹状空隙部１０５内に挿入しパッキング１１０の基部１１２を押圧して嵌装させる。そして、ガラス板１２０を取り付けたとき、パッキング１１０の基部１１２に設けられた円弧状の窓辺部１１３がガラス板１２０で押圧される状態になるので、ガラス板１２０と縦フレーム１００との隙間に異物が侵入するのを防止できるようになる。
【０００３】
しかしながら、従来の扉用枠材の場合、ガラス板１２０と縦フレーム１００との隙間に異物が侵入するのを防止できるようにするためには、別部品としてパッキング１１０を用意しなければならないので煩雑化するし、取り付けに際してはパッキング１１０を見栄えよく介装させなければならないのでその作業のための手間ひまを要してしまうという問題がある。
【特許文献１】特許第４０９０６２７号公報
【考案の開示】
【考案が解決しようとする課題】
【０００４】
解決しようとする問題点は、扉用枠材と樹脂板やガラス板などの窓部材との間に異物が侵入するのを防止するためには、別部品として防塵パッキングやシール部材を用意しなければならないので煩雑化し、取り付けに際しては防塵パッキングやシール部材を見栄えよく介装しなければならないのでその作業のための手間ひまを要してしまう点である。
【課題を解決するための手段】
【０００５】
本考案の請求項１に係る扉用枠材は、扉の窓部材を保持する扉用枠材であって、横断面が長方形をなす長尺で中空の主枠体と、この横断面の片側短辺を延長し前記窓部材が配置される前記主枠体の前面に対して突出させ当該前面側にＬ字状に折曲して設けられた保持片と、この保持片に対峙する前記横断面の長辺の角部に、当該保持片に対向する態様で設けられた、水平面を有する段状の突出部とを備えてなるもので、このような突出部が設けられた型材であるため、別部品として防塵パッキングやシール部材を用意する必要がないので煩雑化せず、また、取り付けに際しては防塵パッキングやシール部材を見栄えよく介装するための手間ひまを要せず、扉用枠材と樹脂板やガラス板などの窓部材との間に異物が侵入するのを防止することが可能になる。
【考案の効果】
【０００６】
本考案の扉用枠材は、防塵パッキングやシール部材に相当する突出部が設けられた型材であるため、別部品として防塵パッキングやシール部材を用意する必要がないので煩雑化せず、また、取り付けに際しては防塵パッキングやシール部材を見栄えよく介装するための手間ひまを要せず、扉用枠材と樹脂板やガラス板などの窓部材との間に異物が侵入するのを防止することが可能になるという利点がある。
【考案を実施するための最良の形態】
【０００７】
本考案の実施の形態に係る扉用枠材は、樹脂板やガラス板などの窓部材を保持できるようにした外周枠材を構成する縦枠材及び横枠材のうちの縦枠材１で、図１に示すような外観形状をなし、図３に示すような使用態様で対をなして用いられる。尚、横枠材は、縦枠材１と同一の、または異なる長さ仕様の形状をなし、縦枠材１に準ずる使用態様で用いられる。
本縦枠材１は、図１〜３に示すように、横断面が長方形をなす長尺で中空の主枠体２と、この横断面の片側短辺２ａを延長し、例えば図３に示すようなガラス板（窓部材）６が配置される主枠体２の前面３に対して突出させ当該前面３側にＬ字状に折曲して設けられた保持片４と、この保持片４に対峙する上記横断面の長辺２ｂの角部に、当該保持片４に対向する態様で設けられた、水平面５ａを有する段状の突出部５とを備える形態のものである。
【０００８】
本縦枠材１は、図３に示すように、対をなす態様でガラス板６の縦辺側を保持する部材である。この場合、ガラス板６は、当該ガラス板６の縦辺が本縦枠材１の保持片４のＬ字形溝に係止されるように、また、当該ガラス板６の裏面６ａが本縦枠材１の突出部５の水平面５ａに当接されるように配設される。このような突出部５が設けられた縦枠材１によれば、別部品として防塵パッキングやシール部材を用意することなく、本縦枠材１とガラス板６との隙間に異物が侵入するのを防止する機能を持たせることができる。しかも、透明・半透明なガラス板６から透視されても突出部５のために見栄えが損なわれるということはない。
ここで、図３中の符号７はパッキンである。
【産業上の利用可能性】
【０００９】
本考案の扉用枠材は、突出部が形成された型材で枠材を成形し、当該突出部に防塵パッキングやシール部材の機能を持たせることによって、防塵パッキングやシール部材の使用を必要としないものとして扉用枠材を考案したが、かかる考案思想は、各種の建具に適用可能である。
【図面の簡単な説明】
【００１０】
【図１】本考案の実施の形態に係る扉用枠材の斜視図である。
【図２】図１のＰ矢視図である。
【図３】本扉用枠材の使用状態図である。
【図４】家具用扉の縦フレーム及びこれに用いる防塵パッキングの断面構成図である。
【符号の説明】
【００１１】
１    扉用枠材
２    主枠体
２ａ  短辺
２ｂ  長辺
３    前面
４    保持片
５    突出部
５ａ  水平面
６    ガラス板（窓部材）
【図１】
0003172731.tif 000003
【図２】
0003172731.tif 000004
【図３】
0003172731.tif 000005
【図４】
0003172731.tif 000006